(57)【要約】【課題】重量が重く表面粗さが大きいパネル部材であっても容易にフリーアクセスフロアから取外すことができるパネル取外し器具を提供する。【解決手段】フリーアクセスフロア８０のパネル部材８２Ａの上面に当接するパネル押さえ部４２と、操作部３２に操作されてパネル部材８２Ａの下面に当接するパネル係止部３６とを備え、パネル係止部３６が、パネル部材８２Ａの下面に当接してパネル押さえ部４２との間にパネル部材８２Ａを厚さ方向に挟み込むことができるように構成した。【効果】重量が重く表面粗さが大きいパネル部材であっても容易にフリーアクセスフロアから取外すことができる。【選択図】図１０
2009079378.tif 000002
【特許請求の範囲】
【請求項１】
フリーアクセスフロアのパネル部材の上面に当接するパネル押さえ部と、
操作部に操作されて前記パネル部材の下面に当接するパネル係止部とを備え、
前記パネル係止部が、前記パネル部材の下面に当接して前記パネル押さえ部との間に前記パネル部材を厚さ方向に挟み込むことができるように構成した
ことを特徴とするパネル取外し器具。
【請求項２】
前記パネル係止部を前記パネル押さえ部から離れる方向に付勢するばね部材を備えることを特徴とする請求項１に記載のパネル取外し器具。
【発明の詳細な説明】
【技術分野】
【０００１】
本発明は、オフィスルーム等の部屋の下地床面上に空間を隔てて敷設されるフリーアクセスフロアに用いられる、フロア用パネル部材を１枚ずつ取外すために用いられるパネル取外し器具に関するものである。
【背景技術】
【０００２】
図１１及び図１２は、特許文献１に係る従来のパネル吊上げ治具２を示す正面図、及び側面図である。この従来のパネル吊上げ治具２は、連結具の両端部に左右２本の吊上げ部材６を有している。この２本の吊上げ部材６のそれぞれは、略棒状であって、各先端部にフック４が形成されており、互いに一定間隔だけ離れてほぼ平行に並んで配置されている。
【０００３】
このような従来のパネル吊上げ治具２は、図１３及び図１４に示すグリル型のフリーアクセスフロア用パネル部材１０（以下、パネル部材１０という。）を吊上げるために使用される。パネル部材１０は、アルミニウム等の金属製であって、その厚さ方向に貫通する多数の孔１２のそれぞれと、互いに隣り合うそれぞれの孔１２同士との間に設けられた多数のリブ１４を有している。
【０００４】
図１１及び図１２に示すパネル吊上げ治具２は、その２本の吊上げ部材６のフック４のそれぞれが、図１３に示すパネル部材１０のいずれかの孔１２から入り込んで、このように入り込んだ孔１２と互いに隣り合う孔１２との間のリブ１４に引っ掛かるようにすることができる。
【０００５】
したがって、不図示の下地床面から空間を隔てて一定高さを有する水平面上に支持された、多数のパネル部材１０が互いに隣り合って縦横に整列して配置される、不図示の敷設後のフリーアクセスフロアにおいて、例えば、このフリーアクセスフロアと下地床面との間の空間の配線工事等のために、そのパネル部材１０の１枚を取り外す場合には、作業者は、両手のそれぞれに上記パネル吊上げ治具２を持って、この２つのパネル吊上げ治具２のそれぞれの２本の吊上げ部材６のフック４を、取り外そうとする１枚のパネル部材１０の互いに離れた４ヶ所の位置のリブ１４に引っ掛けて持ち上げることにより、このパネル部材１０を安定した状態で吊上げて取り外すことができるようになっていた。
【０００６】
また、上記特許文献１に係る従来のパネル吊上げ治具２とは異なる、他の従来のパネル吊上げ器具としては、図示しないが、吸盤を有したものがあった。このような吸盤を有する他の従来のパネル吊上げ器具は、上記パネル部材１０とは異なる他の不図示のパネル部材であって、上記パネル部材１０が有する孔１２を全く有していない平坦な上面のパネル部材を吊上げて取り外す際に使用されていた。
【０００７】
すなわち、上記他の従来のパネル吊上げ器具は、その吸盤が、上記不図示のパネル部材の平坦な上面に吸着することにより、このような不図示のパネル部材を上方に吊り上げることができるようになっていた。
【特許文献１】実用新案登録第２５４３１４５号公報
【発明の開示】
【発明が解決しようとする課題】
【０００８】
しかしながら、上記特許文献１に係る従来のパネル吊上げ治具２、及び上記吸盤を有した他の従来のパネル吊上げ器具は、コンクリート製等の表面に細かい凹凸があるパネル部材を吊上げる際には用いることができないという問題があった。
【０００９】
つまり、コンクリート製等の表面に細かい凹凸があるパネル部材は、上記パネル部材１０が有していた孔１２と同様の孔を有していないので、上記特許文献１に係る従来のパネル吊上げ治具２は、このようなコンクリート製等のパネル部材を取外す際には用いることができないという問題があった。
【００１０】
また、このようなコンクリート製等のパネル部材は、その重量が重いと共に、その表面が滑らかではなく、表面に細かい凹凸があるので、上記吸盤を利用した他の従来のパネル吊上げ器具では、その吸盤が、コンクリート製のパネル部材の重量を上回る吸着力を発生することができない。このため、上記吸盤を利用した他の従来のパネル吊上げ器具も、やはり、コンクリート製のパネル部材を吊上げる際には用いることができないという問題があった。
【００１１】
そこで本発明は、上記問題点に鑑みて、重量が重く表面粗さが大きいパネル部材であっても容易にフリーアクセスフロアから取外すことができるパネル取外し器具を提供することを課題とするものである。
【課題を解決するための手段】
【００１２】
上記課題を解決するために、本発明によるパネル取外し器具は、
フリーアクセスフロアのパネル部材の上面に当接するパネル押さえ部と、
操作部に操作されて前記パネル部材の下面に当接するパネル係止部とを備え、
前記パネル係止部が、前記パネル部材の下面に当接して前記パネル押さえ部との間に前記パネル部材を厚さ方向に挟み込むことができるように構成したことを特徴とするものである。
【００１３】
また、本発明によるパネル取外し器具は、前記パネル係止部を前記パネル押さえ部から離れる方向に付勢するばね部材を備えることを特徴とするものである。
【発明の効果】
【００１４】
このような本発明のパネル取外し器具によれば、
フリーアクセスフロアのパネル部材の上面に当接するパネル押さえ部と、
操作部に操作されて前記パネル部材の下面に当接するパネル係止部とを備え、
前記パネル係止部が、前記パネル部材の下面に当接して前記パネル押さえ部との間に前記パネル部材を厚さ方向に挟み込むことができるように構成したことにより、
前記パネル部材が重量が重く表面粗さが大きいパネル部材であっても容易にフリーアクセスフロアから取外すことができる。
【００１５】
また、本発明のパネル取外し器具によれば、前記鉤部を前記パネル押さえ部から離れる方向に付勢するばね部材を備えることにより、
前記パネル押さえ部と前記パネル係止部とが前記パネル部材を挟み込んだ状態において、前記操作部に掛ける力を抜くと、パネル部材を容易に開放することができるので、パネル部材を保持したり開放したりする操作が容易になるため、フリーアクセスフロアのパネル部材を敷設する作業、或いは、敷設済みのフリーアクセスフロアから取り外したパネル部材を元の場所に再度敷設する作業等を容易にすることができる。
【発明を実施するための最良の形態】
【００１６】
以下、本発明に係るパネル取外し器具を実施するための最良の形態について、図面に基づいて具体的に説明する。
図１から図１０は、本発明の一実施の形態に係るパネル取外し器具３０について説明するために参照する図である。
【００１７】
本実施の形態に係るパネル取外し器具３０は、図１及び図３に示すような状態で使用するので、その使用状態に基づいて、各部材の上方の端部は上端部、下方の端部は下端部のように呼ぶものとする。
【００１８】
本実施の形態に係るパネル取外し器具３０は、図１及び図２に示すように、パネル押さえ部４２を有する吊上げ本体部３１、及び、パネル係止部３６を有する操作ハンドル３２を備えている。
【００１９】
すなわち、パネル取外し器具３０の吊上げ本体部３１は、本体ハンドル３８、本体筒部４０、及びパネル押さえ部４２を備えて構成されている。吊上げ本体部３１の本体ハンドル３８は、その素材となる不図示の丸棒材を略口の字状に折り曲げて形成したものである。
【００２０】
本体ハンドル３８は、図１に示すように、その口の字形状の下側の横棒部を構成し、その元の丸棒材の両端部であった端部３８ａ，３８ｂが、互いに一定間隔を空けて、互いに対向して配置されるように形成されている。また本体ハンドル３８は、その口の字形状の上側にも横棒部３８ｅを有し、この横棒部３８ｅは元の丸棒材の中央部であった部分である。
【００２１】
吊上げ本体部３１の本体筒部４０は、図１に示すように、その軸線方向が、本体ハンドル３８の口の字形状の縦棒部３８ｃ、３８ｄと平行となるように配置され、かつ、その軸線方向の一方の上端部４０ａが、本体ハンドル３８の口の字形状の下側横棒部を構成する上記端部３８ａと３８ｂとの間に入り込むように配置されている。本体筒部４０の上端部４０ａは、上記端部３８ａと３８ｂの両方に溶接等により（図４参照）固定されている。
【００２２】
また、本体筒部４０内には、図３及び図４に示すように、圧縮コイルばね４８が同軸上に収納されている。本体筒部４０の上端部４０ａの最上端には、図４に示すように、その断面形状が、本体筒部４０の外周壁から半径内方に向かって、一定の厚さで一定の長さだけ張り出す円環状の逆フランジ部５６が形成されている。逆フランジ部５６中央部に形成される孔には、本体筒部４０と同軸上に配置される、後述する連結棒５０が挿通されるようになっている。
【００２３】
また、図１及び図２に示すように、本体筒部４０の下端部４０ｂの最下端には、パネル押さえ部４２が固定されている。このパネル押さえ部４２は、平板状であって、図３に示すように、その平面中央部に、その厚さ方向（図中、上下方向）に貫通する孔４２ａを有していて、本体筒部４０の下端部４０ｂの最下端がこの孔４２ａに嵌合して、溶接等により固定されている。
【００２４】
次に、操作ハンドル３２は、図１に示すように、本体ハンドル３８の口の字形状の内側に配置されており、駆動操作部３３及び円筒部材３４を備えている。駆動操作部３３は、本体ハンドル３８の口の字形状の上下２本の横棒部３８ｅ及び３８ａ，ｂが伸びる方向と平行方向に長さを有している。
【００２５】
また、駆動操作部３３は、図２に示すように、その断面が、下方が凸状となる略半円状に形成されているので、後述するように、その下側に指先がなじんで接触できるようになっている。また駆動操作部３３は、図５に示すように、その長さ方向の両端部に、略半円状に凹んだ凹部３３ａ、３３ｂを有している。
【００２６】
この駆動操作部３３の凹部３３ａ、３３ｂのそれぞれは、図３及び図５に示すように、本体ハンドル３８の口の字形状の左右２本の縦棒部３８ｃ，３８ｄのそれぞれの半断面部に緩く嵌合している。
【００２７】
このため操作ハンドル３２の駆動操作部３３は、図３に示すように、横棒部３８ｅと平行状態のまま、本体ハンドル３８の縦棒部３８ｃ，３８ｄに沿って上下方向にスライド移動することができるようになっている。また、この駆動操作部３３には、図４に示すように、その長さ中央部に、連結棒５０の上端ネジ部５０ａが緩く通る孔３３ｃが形成されている。
【００２８】
また、操作ハンドル３２の円筒部材３４は、図１に示すように、その軸線が、駆動操作部３３の長さ方向と直交すると共に、吊上げ本体部３１の本体筒部４０の軸線と一致するように、駆動操作部３３と本体筒部４０上端部４０ａとの間に配置されている。
【００２９】
そして円筒部材３４は、駆動操作部３３側に溶接等により固定されていると共に（図４参照）、その下端が、本体筒部４０の上端部４０ａの最上端に当接したり、その最上端から離隔したりできるようになっている。
【００３０】
次に、図２に示すように、連結棒５０の先端部（図中、下端部）には、鉤型のパネル係止部３６が一体的に形成されている。すなわちパネル係止部３６は、上下方向に真直ぐに伸びる連結棒５０の素材である丸棒材の図中下端部が上下方向に対して直角方向（水平方向）に折り曲げられて形成されたものである。
【００３１】
連結棒５０は、図３に示すように、その長さ中間部分が、本体筒部４０の内部、及びこの本体筒部４０内に収納された圧縮コイルばね４８の内側を、これらと同軸上に挿通されるように配置されている。また、この連結棒５０の長さ途中部には、溶接等により固定されたフランジ状のばね受け部５２が設けられている。
【００３２】
本体筒部４０の逆フランジ部５６の内側面（図４中下面）には、圧縮コイルばね４８の上端部が突き当てられている。また、この圧縮コイルばね４８の下端部は上記ばね受け部５２に突き当てられている。このため、連結棒５０はこのばね受け部５２を介して、常に、圧縮コイルばね４８によるパネル係止部３６側への付勢力を受けるようになっている。このことにより、図１及び図２に示すパネル係止部３６は、パネル押さえ部４２から離れる方向に常に付勢されている。
【００３３】
また、連結棒５０は、図３に示すパネル係止部３６とは反対側の上端ネジ部５０ａが、図４に示すように、操作ハンドル３２の円筒部材３４の内部、及び駆動操作部３３の孔３３ｃを通り抜けて上方に突出している。この連結棒５０の上端ネジ部５０ａの外周部には雄ネジが形成されていて、ナット５７とネジ締結している。
【００３４】
このナット５７は、連結棒５０が圧縮コイルばね４８により、常に、パネル係止部３６側に付勢されていることにより、駆動操作部３３の孔３３ｃの周囲に掛止して、この駆動操作部３３の上面とナット５７との間に隙間が生じないように、その上面に押し付けられている。
【００３５】
また、連結棒５０には、図３に示すように、そのばね受け部５２とパネル係止部３６との間に、溶接等により固定されたフランジ状のガイド部５８が設けられている。このガイド部５８は、本体筒部４０内を摺動して、連結棒５０を本体筒部４０と同心円状に保持するようになっている。
【００３６】
次に、このような本実施の形態に係るパネル取外し器具３０の使用方法について説明する。
まず、作業者は、図６に示すように、その一方の手の親指の付け根の内側を、このパネル取外し器具３０における本体ハンドル３８の口の字形状の上側の横棒部３８ｅに当接させると共に、操作ハンドル３２の駆動操作部３３の下側に親指以外の４本の指の先を引っ掛けることにより、パネル取外し器具３０を保持することができる。作業者は、その両方の手のそれぞれにパネル取外し器具３０を上記のように保持することができる。
【００３７】
そして、作業者は、上記４本の指を折り曲げて、操作ハンドル３２の駆動操作部３３を上方に引き上げることにより、パネル係止部３６をパネル押さえ部４２側に引き寄せて、このパネル係止部３６とパネル押さえ部４２との間の間隔を狭くすることができる。また、このような状態から、操作ハンドル３２の駆動操作部３３を引き上げる指の力を抜けば、本体筒部４０の内部の圧縮コイルばね４８の作用により、パネル係止部３６とパネル押さえ部４２との間の間隔を広げることができる。
【００３８】
例えば、本実施の形態に係るパネル取外し器具３０により、図７に示すようなフリーアクセスフロア８０の、コンクリート製のパネル部材８２の一端部側を吊り上げて取り外す場合について具体的に説明する。
【００３９】
フリーアクセスフロア８０のパネル部材８２のそれぞれは、その平面形状が略正方形であって、その四隅のそれぞれが、下側（図７中、紙面に垂直の奥側）から支持台８４により支持されている。
【００４０】
また、図７に示すように、パネル部材８２のそれぞれには、その四辺のそれぞれの、パネル部材８２の各隅部側の端部寄りの位置に、切欠き部８６が設けられている。すなわち、同じ１つのパネル部材８２の四辺のうちの、互いに対向する二辺同士の間では、互い違いの位置に切欠き部８６が形成されている。互いに対向する他の二辺同士の間でも、同様に互い違いの位置に切欠き部８６が形成されている。
【００４１】
また、フリーアクセスフロア８０は、そのパネル部材８２の上面に歩行者等が乗って撓んだときなどに、互いに隣り合うパネル部材８２同士の縁が擦れ合って、擦過音を生じたり摩耗したりするのを防止するため、互いに隣り合うパネル部材８２同士の間に隙間が設けられている。
【００４２】
図７に示す切欠き部８６ａを有するパネル部材８２Ａの、隣のパネル部材８２Ｂの側辺部の、前記パネル部材８２Ａの切欠き部８６に対向する部分には切欠き部８６は形成されていない。このため、切欠き部８６がある部分の、その切欠き部８６の最深部と前記隣のパネル部材８２Ｂの側辺部との間には、隙間Ｕが形成されている。
【００４３】
図８から図１０は、本実施の形態に係るパネル取外し器具３０を用いることにより、敷設済みのフリーアクセスフロア８０から、そのパネル部材８２を１枚ずつ取り外す際の手順を示す図である。これら図８から図１０においては、その図面の複雑化を防止するために、フリーアクセスフロア８０のパネル部材８２を支持する支持台８４、及びパネル取外し器具３０Ａ，３０Ｂを保持する作業者の手や腕等は図示していない。
【００４４】
まず、作業者は、その両手のそれぞれにパネル取外し器具３０Ａ，３０Ｂを保持する。そして、図７、８に示すように、取り外そうとするパネル部材８２Ａのいずれかの切欠き部８６ａと、この切欠き部８６ａと互いに対向する隣のパネル部材８２Ｂの側辺部との間の隙間に、その上方からパネル取外し器具３０Ａのパネル係止部３６を、その長さ方向を切欠き部８６の長さ方向と一致させた状態で挿入して、このパネル取外し器具３０Ａのパネル押さえ部４２の下面を、パネル部材８２Ａの上面に当接させるようにする。
【００４５】
次に、作業者は、パネル部材８２Ａにおける、上記パネル取外し器具３０Ａのパネル係止部３６を挿入した切欠き部８６ａとほぼ対角位置にある切欠き部８６ｃと、この切欠き部８６ｃと互いに対向するパネル部材８２Ｃの側辺部との間の隙間に、パネル取外し器具３０Ｂのパネル係止部３６を挿入し、そのパネル押さえ部４２をパネル部材８２Ａの上面に当接させるようにする。
【００４６】
ここで、パネル取外し器具３０Ａ，３０Ｂのパネル係止部３６及び連結棒５０の太さの寸法値は、パネル部材８２Ａの切欠き部８６ａの深さと、パネル部材８２Ａ、８２Ｂの側辺部間の隙間との和の寸法値（図７及び図８中、寸法Ｕ）よりも小さく設定されているので、パネル係止部３６及び連結棒５０は、切欠き部８６の幅とパネル部材８２の側辺部間の隙間との和の隙間に滞りなく挿入することができる。
【００４７】
次に、作業者は、図８に示すように、パネル取外し器具３０Ａ，３０Ｂのそれぞれを、その軸線Ｘを中心にして反時計回り又は時計回りに略９０度回転させることにより、図９に示すように、そのパネル係止部３６の長さ先端部を、パネル部材８２Ａの平面中央側に向けるようにする。
【００４８】
そして、パネル取外し器具３０Ａ，３０Ｂのそれぞれの操作ハンドル３２を引き上げることにより、図１０に示すように、連結棒５０を介してパネル係止部３６を引き上げ、このパネル係止部３６とパネル押さえ部４２とが、パネル部材８２Ａをその厚さ方向に挟み込むようにする。
【００４９】
作業者は、パネル取外し器具３０Ａ，３０Ｂを、このような状態のままで上方に引き上げることにより、パネル部材８２Ａをフリーアクセスフロア８０から容易に取り外すことができる。
【００５０】
また、このようなフリーアクセスフロア８０から取り外したパネル部材８２Ａは、このパネル部材８２Ａを取り外すための上記手順とは逆の手順により、元の場所に再度敷設することができる。
【００５１】
このような本実施の形態に係るパネル取外し器具３０によれば、これを上記のように用いることにより、フリーアクセスフロア８０のパネル部材８２が重量が重く表面粗さが大きいコンクリート製のようなパネル部材であってもこのようなパネル部材８２を容易にフリーアクセスフロアから取外すことができる。
【００５２】
また、本実施の形態に係るパネル取外し器具３０によれば、圧縮コイルばね４８を備えていることにより、パネル押さえ部４２とパネル係止部３６とがパネル部材８２を挟み込んだ状態において（図１０参照）、操作ハンドル３２に掛ける力を抜くと、パネル部材８２を容易に開放することができるので、パネル取外し器具３０Ａ，３０Ｂをその連結棒５０の軸線回りに回動させることと相俟って、パネル部材８２を保持したり開放したりして、その隙間からパネル係止部３６を出し入れする操作が容易になる。
【００５３】
一方、フリーアクセスフロア８０から取り外したパネル部材８２を元の場所に再度敷設する作業等において、パネル部材８２を元の場所に載置した直後に、パネル取外し器具３０のパネル押さえ部４２とパネル係止部３６とがパネル部材８２を挟み込んだ状態から、操作ハンドル３２に掛ける力を抜くと、パネル係止部３６がパネル部材８２の下面から離れ、パネル部材８２を容易に開放することができるので、パネル取外し器具３０Ａ，３０Ｂをその連結棒５０の軸線回りに回動させることと相俟って、パネル部材８２を元の場所に再度敷設する一連の作業等を容易にすることができる。
【００５４】
なお、本実施の形態では、敷設済みのフリーアクセスフロア８０から、そのパネル部材８２の一端側を吊り上げて取り外したり、このように取り外したパネル部材８２を元の場所に再度敷設したりする作業等が容易になることについて説明したが、上記フリーアクセスフロア８０とは別個の新たなフリーアクセスフロアを敷設する際においても、そのパネル部材８２を新たに敷設したり、取り外したりする作業が容易になることはいうまでもない。
【００５５】
また、本実施の形態に係るパネル取外し器具３０に対応するフリーアクセスフロア８０は、そのパネル部材８２の四辺のそれぞれの、互いに対向する二辺同士の間では切欠き部８６が互い違いの位置に設けられていたが、パネル部材８２の四辺のそれぞれの中央部に切欠き部８６を設けてもよい。
【００５６】
また、本実施の形態に係るパネル取外し器具３０に対応するフリーアクセスフロア８０は、切欠き部８６の最深部とその隣のパネル部材８２Ｂの側辺部との間にパネル取外し器具３０のパネル係止部３６を挿入するようにしていたが、その側辺部の前記パネル係止部３６と対応する位置に切欠き部８６を形成して、それらの互いに対応する切欠き部８６間に上記パネル係止部３６を挿入するようにしてもよい。
【００５７】
またこのような切欠き部８６が設けられていなくても、パネル取外し器具３０は、そのパネル係止部３６及び連結棒５０の太さが、パネル部材８２同士の間の隙間幅よりも細く設定されていれば、実用上問題なく使用することができる。
【００５８】
また、本実施の形態に係るパネル取外し器具３０は、圧縮コイルばね４８を備えていたが、備えないようになっていてもよい。操作ハンドル３２の駆動操作部３３や連結棒５０等の重力により、パネル係止部３６とパネル押さえ部４２との間の間隔を自然に拡げることができるからである。
【００５９】
また、本実施の形態においては、コンクリート製のパネル部材８２をフリーアクセスフロア８０から取り外す場合について説明したが、コンクリート製のパネル部材８２以外の他のどのようなパネル部材にも本発明は適用することができる。本発明は、例えば、図１３及び図１４に示すグリル型のパネル部材１０等に対しても適用することができる。
【図面の簡単な説明】
【００６０】
【図１】本発明の一実施の形態に係るパネル取外し器具３０を示す正面図である。
【図２】本発明の一実施の形態に係るパネル取外し器具３０を示す側面図である。
【図３】図１に示すパネル取外し器具３０を示す正面縦断面図である。
【図４】図３におけるパネル取外し器具３０の部分拡大断面図である。
【図５】図３におけるパネル取外し器具３０のＡ−Ａ線矢視断面図である。
【図６】作業者の右手に保持されている状態を示すパネル取外し器具３０の正面図である。
【図７】パネル取外し器具３０により取り外すパネル部材８２、８２Ａ〜８２Ｃを備えて構成されるフリーアクセスフロア８０を示す平面図である。
【図８】パネル取外し器具３０Ａ，３０Ｂの使用方法を説明するための、図７に示すフリーアクセスフロア８０のＢ−Ｂ線矢視断面図である。
【図９】パネル取外し器具３０Ａ，３０Ｂの使用方法を説明するための、図７に示すフリーアクセスフロア８０のＢ−Ｂ線矢視断面図である。
【図１０】パネル取外し器具３０Ａ，３０Ｂの使用方法を説明するための、図７に示すフリーアクセスフロア８０のＢ−Ｂ線矢視断面図である。
【図１１】従来のパネル吊上げ治具２を示す正面図である。
【図１２】図１１のパネル吊上げ治具２を示す側面図である。
【図１３】従来のパネル吊上げ治具２により取り外すパネル部材１０を示す平面図である。
【図１４】図１３におけるパネル部材１０を示す側面図である。
【符号の説明】
【００６１】
２  吊り上げ治具
４  フック
６  吊り上げ部材
１０  パネル部材
１２  孔
１４  リブ
３０  パネル取外し器具
３１  吊上げ本体部
３２  操作ハンドル
３３  駆動操作部
３３ａ，３３ｂ  凹部
３３ｃ  孔
３４  円筒部材
３６  パネル係止部
３８  本体ハンドル
３８ａ，３８ｂ  端部
３８ｃ，３８ｄ  縦棒部
３８ｅ  横棒部
４０  本体筒部
４２  パネル押さえ部
４２ａ  孔
４８  圧縮コイルばね
５０  連結棒
５０ａ  上端ネジ部
５２  ばね受け部
５６  逆フランジ部
５７  ナット
５８  ガイド部
８０  フリーアクセスフロア
８２，８２Ａ，８２Ｂ，８２Ｃ  パネル部材
８４  支持台
８６，８６ａ，８６ｃ  切欠き部
【図１】
2009079378.tif 000003
【図２】
2009079378.tif 000004
【図３】
2009079378.tif 000005
【図４】
2009079378.tif 000006
【図５】
2009079378.tif 000007
【図６】
2009079378.tif 000008
【図７】
2009079378.tif 000009
【図８】
2009079378.tif 000010
【図９】
2009079378.tif 000011
【図１０】
2009079378.tif 000012
【図１１】
2009079378.tif 000013
【図１２】
2009079378.tif 000014
【図１３】
2009079378.tif 000015
【図１４】
2009079378.tif 000016